(57)【要約】【課題】原水に凝集処理した後、膜分離処理する水処理において、水回収率を低減することなく、膜の透過流束を高く維持する。【解決手段】原水に凝集剤を添加して凝集処理し、凝集処理水を膜分離処理して水処理するにあたり、凝集処理された水中の有機物濃度を測定し、この測定値に基づいて、凝集処理条件と分離膜の洗浄条件を制御する。【選択図】図１
2007245078.tif 000002
【特許請求の範囲】
【請求項１】
原水に凝集剤を添加して凝集処理する凝集処理手段と、
該凝集処理手段からの凝集処理水を一次側から供給し、分離膜を透過した透過水を二次側から排出する膜分離手段と、
洗浄流体を供給することで該分離膜を洗浄する分離膜洗浄手段と、
前記凝集処理された水の有機物濃度を測定する有機物濃度測定手段と、
該有機物濃度測定手段の測定値に基づいて、前記凝集処理手段における凝集処理条件と前記分離膜洗浄手段における洗浄条件を制御する制御手段と
を有することを特徴とする水処理装置。
【請求項２】
請求項１において、制御する凝集処理条件が原水への凝集剤添加量であることを特徴とする水処理装置。
【請求項３】
請求項１又は２において、制御する洗浄条件が洗浄間隔であることを特徴とする水処理装置。
【請求項４】
請求項１ないし３のいずれか１項において、前記洗浄流体は洗浄薬液であって、前記制御手段で制御する制御条件が該洗浄薬液の濃度であることを特徴とする水処理装置。
【請求項５】
請求項１ないし４のいずれか１項において、前記制御手段で制御する洗浄条件が前記洗浄液体の供給速度であることを特徴とする水処理装置。
【請求項６】
請求項１ないし５のいずれか１項において、前記洗浄手段は前記膜分離手段の二次側から前記洗浄流体を供給し、前記分離膜を透過した洗浄流体を一次側から排出して該分離膜を洗浄するものであることを特徴とする水処理装置。
【請求項７】
請求項１ないし６のいずれか１項において、前記有機物濃度測定手段は、波長２００〜４００ｎｍの範囲内の紫外光の吸光度と波長４００〜８００ｎｍの範囲内の可視光の吸光度との差から有機物濃度を測定するものであることを特徴とする水処理装置。
【請求項８】
原水に凝集剤を添加して凝集処理する凝集処理工程と、
該凝集処理工程からの凝集処理水を膜分離手段の一次側から供給し、分離膜を透過した透過水を膜分離手段の二次側から排出する膜分離工程と、
洗浄流体を供給することで該分離膜を洗浄する分離膜洗浄工程とを有する水処理方法において、
前記凝集処理された水の有機物濃度を測定し、該有機物濃度の測定値に基づいて前記凝集処理工程における凝集処理条件と前記分離膜洗浄工程における洗浄条件を制御することを特徴とする水処理方法。
【請求項９】
請求項８において、制御する凝集処理条件が原水への凝集剤添加量であることを特徴とする水処理方法。
【請求項１０】
請求項８又は９において、制御する洗浄条件が洗浄間隔であることを特徴とする水処理方法。
【請求項１１】
請求項８ないし１０のいずれか１項において、前記洗浄流体は洗浄薬液であって、制御する洗浄条件が該洗浄薬液の濃度であることを特徴とする水処理方法。
【請求項１２】
請求項８ないし１１のいずれか１項において、制御する洗浄条件が前記洗浄流体の供給速度であることを特徴とする水処理方法。
【請求項１３】
請求項８ないし１２のいずれか１項において、前記洗浄工程は前記膜分離手段の二次側から前記洗浄流体を供給し、前記分離膜を透過した洗浄流体を一次側から排出して該分離膜を洗浄するものであることを特徴とする水処理方法。
【請求項１４】
請求項８ないし１３のいずれか１項において、波長２００〜４００ｎｍの範囲内の紫外光の吸光度と波長４００〜８００ｎｍの範囲内の可視光の吸光度との差から前記有機物濃度を測定することを特徴とする水処理方法。
【発明の詳細な説明】
【技術分野】
【０００１】
本発明は、天然水を原料とする用水処理や、工場排水又は下水等を処理する廃水処理において、原水に凝集剤を添加することにより、原水中の懸濁物質、コロイダル成分や有機物質等を凝結かつ粗大化させた後、精密濾過膜（ＭＦ膜）、限外濾過膜（ＵＦ膜）、ナノ濾過膜（ＮＦ膜）などの分離膜によって膜分離処理する水処理装置及び水処理方法に係り、特に、凝集処理における凝集剤処理条件を適正化することにより、安定かつ効率的な凝集処理を行うと共に、分離膜の洗浄条件を適正化することにより、水回収率を低減することなく、膜の透過流束を高く維持する水処理装置及び水処理方法に関する。
【背景技術】
【０００２】
天然水を原料とする用水処理や、工場排水又は下水等を処理する廃水処理においては、原水に凝集剤を添加して、原水中の懸濁物質、コロイダル成分や有機物質等を凝結かつ粗大化させた後、沈殿、浮上、濾過、膜濾過等により固液分離する方法や、膜濾過単独で除濁・除菌して処理水を回収することが行われている。
【０００３】
この除濁・除菌用途に使われる膜分離装置では、処理を継続することにより、膜面に汚れが付着して膜差圧が上昇するため、定期的に処理水（膜透過水）を膜の二次側から一次側に逆流させる逆洗操作により、膜面に捕捉した汚染物を排出して膜性能を維持することが行われている。
【０００４】
しかしながら、天然水や廃水は、多くの場合は、無機粘土鉱物を主体とする濁度成分だけでなく、フミン質や多糖類に代表される生物代謝産物といった有機物が共存するため、これらの有機物により膜が汚染された場合は、処理水を用いる逆洗操作のみでは膜性能を十分に回復し得ない。
【０００５】
これらの有機物汚染に関して、本出願人は、逆洗水に希薄な洗浄薬品を添加し、薬液により逆洗を行う方式を先に提案した（特開平８−２４３３６１号公報）。しかしながら、この方法であっても、膜透過流束を大きく設定した場合において、凝集処理された水の有機物濃度が上昇すると、急激に膜差圧が増加する問題があった。膜差圧の増加を抑制するために、逆洗頻度を増加させることも考えられるが、逆洗頻度の増加は水回収率の低下につながり、好ましいことではない。
【０００６】
また、有機物による膜汚染を抑制するために、膜分離処理に先立ち凝集処理を行い、凝集処理水を膜分離処理することが知られており、例えば特許第３３１２５０７号公報には、このような水処理にあたり、凝集剤の添加量を処理水（膜透過水）の有機物濃度に基いて制御することが記載されている。しかし、このような処理を実施しても、有機物による膜汚染を十分に防止することはできず、凝集処理水の有機物濃度が上昇した際には急激に膜差圧が上昇するという問題があった。
【０００７】
ところで、凝集処理は、後段の膜分離効率を高めるためのものであり、凝集剤としては、一般にアルミニウム塩や鉄塩等の無機凝集剤が用いられる。また、無機凝集剤で凝結した粒子を更に粗大化させるための凝集補助剤として高分子凝集剤が併用される場合も多い。
【０００８】
凝集処理における凝集効率の向上のためには、添加した凝集剤や凝集補助剤を原水中に円滑に拡散移動させて、凝集対象物と接触、衝突させる頻度を増加させることが重要であり、このため、一般的には撹拌手段を備える凝集槽（以下「撹拌槽」と称す場合がある。）が用いられ、凝集剤を添加した原水を撹拌下に凝集処理することが行われている。撹拌槽には、一般に原水中の凝集対象物と凝集剤とを接触、衝突させるための撹拌を行う急速撹拌槽と、凝集ないし凝結した粒子を粗大化させるための撹拌を行う緩速撹拌槽とに区分される。撹拌手段としては、撹拌翼を用いるものや水路を迂回させて原水を撹拌する構造のものが一般的である。また、ポンプやスタティックミキサーを用いて配管移送中に撹拌する方法も用いられており、これを撹拌槽と併用する例もある。
【０００９】
無機凝集剤による凝集ないし凝結作用は、原水中に存在するフミン質や、藻類が生産する細胞内外の代謝産物等の天然有機物や界面活性剤等の合成化学物質等により阻害を受け、凝集ないし凝結速度が遅くなったり、凝集不良に到ったりする。
【００１０】
従来、この凝集阻害を防止する方法としてｐＨの最適化が行われており、ｐＨ計と酸やアルカリ剤のｐＨ調整剤の添加ポンプとを連動させて自動的にｐＨ調整することが行われている。しかしながら、ｐＨ調整のみでは、安定な凝集処理を行うことはできない。
【００１１】
従来においては、天然水や排水中に含まれるフミン質等の天然有機物や界面活性剤等の合成化学物質が凝集阻害を引き起こす機構は十分には解明されていない上に、これらの阻害物質の同定もなされていない。このため、用水や廃水処理では、最適な凝集条件を設定するために、別途ジャーテスターを用いて凝集剤の添加濃度やｐＨを決定する操作が必須となるが、このような操作は一般に煩雑な操作と長い時間を要し、このために、原水の水質変動に対応し得ず、決定した凝集剤添加量やｐＨ調整値を即時的に反映することができない結果、凝集不良を招くことが多い。
【００１２】
このようなことから、現状においては、凝集剤添加量を予想される必要添加量の上限値よりも予め高く設定して凝集剤を過剰添加することにより、凝集不良を防止する方法が採用されている。しかしながら、このように凝集剤を過剰に添加することは、薬剤コストを高くすると共に、汚泥発生量を増加させる。
【００１３】
また、凝集剤としてアルミニウム塩を用いる場合、過剰添加して残留アルミニウムが増加すると、凝集処理後の膜分離において、未凝集のアルミニウムが膜汚染を引き起こす一因になる。また、残留アルミニウムの増加によって、濾過分離処理水中に未凝集のアルミニウムが大量に流出してしまう。なお、処理水中の残留アルミニウム濃度は、１００μｇ／Ｌ以下とされることが望まれている。
【特許文献１】特開平８−２４３３６１号公報
【特許文献２】特許第３３１２５０７号公報
【発明の開示】
【発明が解決しようとする課題】
【００１４】
本発明は、原水に凝集処理した後、膜分離処理する水処理において、水回収率を低減することなく、膜の透過流束を高く維持する水処理装置及び水処理方法を提供することを目的とする。
【課題を解決するための手段】
【００１５】
本発明（請求項１）の水処理装置は、原水に凝集剤を添加して凝集処理する凝集処理手段と、該凝集処理手段からの凝集処理水を一次側から供給し、分離膜を透過した透過水を二次側から排出する膜分離手段と、洗浄流体を供給することで該分離膜を洗浄する分離膜洗浄手段と、前記凝集処理された水の有機物濃度を測定する有機物濃度測定手段と、該有機物濃度測定手段の測定値に基づいて、前記凝集処理手段における凝集処理条件と前記分離膜洗浄手段における洗浄条件を制御する制御手段とを有することを特徴とする。
【００１６】
請求項２の水処理装置は、請求項１において、制御する凝集処理条件が原水への凝集剤添加量であることを特徴とする。
【００１７】
請求項３の水処理装置は、請求項１又は２において、制御する洗浄条件が洗浄間隔であることを特徴とする。
【００１８】
請求項４の水処理装置は、請求項１ないし３のいずれか１項において、前記洗浄流体は洗浄薬液であって、前記制御手段で制御する制御条件が該洗浄薬液の濃度であることを特徴とする。
【００１９】
請求項５の水処理装置は、請求項１ないし４のいずれか１項において、前記制御手段で制御する洗浄条件が前記洗浄液体の供給速度であることを特徴とする。
【００２０】
請求項６の水処理装置は、請求項１ないし５のいずれか１項において、前記洗浄手段は前記膜分離手段の二次側から前記洗浄流体を供給し、前記分離膜を透過した洗浄流体を一次側から排出して該分離膜を洗浄するものであることを特徴とする。
【００２１】
請求項７の水処理装置は、請求項１ないし６のいずれか１項において、前記有機物濃度測定手段は、波長２００〜４００ｎｍの範囲内の紫外光の吸光度と波長４００〜８００ｎｍの範囲内の可視光の吸光度との差から有機物濃度を測定するものであることを特徴とする。
【００２２】
本発明（請求項８）の水処理方法は、原水に凝集剤を添加して凝集処理する凝集処理工程と、該凝集処理工程からの凝集処理水を膜分離手段の一次側から供給し、分離膜を透過した透過水を膜分離手段の二次側から排出する膜分離工程と、洗浄流体を供給することで該分離膜を洗浄する分離膜洗浄工程とを有する水処理方法において、前記凝集処理された水の有機物濃度を測定し、該有機物濃度の測定値に基づいて前記凝集処理工程における凝集処理条件と前記分離膜洗浄工程における洗浄条件を制御することを特徴とする。
【００２３】
請求項９の水処理方法は、請求項８において、制御する凝集処理条件が原水への凝集剤添加量であることを特徴とする。
【００２４】
請求項１０の水処理方法は、請求項８又は９において、制御する洗浄条件が洗浄間隔であることを特徴とする。
【００２５】
請求項１１の水処理方法は、請求項８ないし１０のいずれか１項において、前記洗浄工程は洗浄薬液により分離膜を洗浄するものであって、制御する制御条件が該洗浄薬液の濃度であることを特徴とする。
【００２６】
請求項１２の水処理方法は、請求項８ないし１１のいずれか１項において、制御する洗浄条件が前記洗浄流体の供給速度であることを特徴とする。
【００２７】
請求項１３の水処理方法は、請求項８ないし１２のいずれか１項において、前記洗浄工程は前記膜分離手段の二次側から前記洗浄流体を供給し、前記分離膜を透過した洗浄流体を一次側から排出して該分離膜を洗浄するものであることを特徴とする。
【００２８】
請求項１４の水処理方法は、請求項８ないし１３のいずれか１項において、波長２００〜４００ｎｍの範囲内の紫外光の吸光度と波長４００〜８００ｎｍの範囲内の可視光の吸光度との差から前記有機物濃度を測定することを特徴とする。
【発明の効果】
【００２９】
本発明によれば、凝集処理された水の有機物濃度に基いて、凝集処理条件と分離膜の洗浄条件を制御することにより、水回収率を低減することなく、膜の透過流束を高く維持することができる。
【００３０】
即ち、凝集処理された水の有機物濃度に基いて凝集処理条件を制御することにより、凝集剤添加量の過不足等を防止して、従って、凝集剤の過剰添加による薬剤コストの高騰や汚泥発生量の増大を防止すると共に凝集不足による処理水水質の悪化を防止して、良好な凝集処理を行うことができ、これにより膜分離の給水として好適な膜汚染性の低い良好な凝集処理水を得ることができる。そして、この良好な水質の凝集処理水を膜分離するため、膜汚染を低減することができる上に、分離膜の洗浄条件についても、凝集処理された水の有機物濃度に基いて制御を行うことにより、洗浄頻度や洗浄薬液濃度等に水質に対応した適正な洗浄条件を採用することができ、この結果、水回収率を高く維持した上で膜の透過流束を高い値で安定化させることができる。
【００３１】
本発明において、凝集処理された水とは、凝集処理工程以降の水であって、必ずしも凝集処理水に限らず、膜透過水や膜濃縮水であっても良い。
【００３２】
なお、原水の有機物濃度に基いて凝集処理条件と分離膜の洗浄条件を制御することも可能であるが、この場合、水質の悪い原水に有機物濃度測定用センサ等を浸漬することにより、センサの汚染による測定誤差で制御不良となるおそれがある。本発明によれば、凝集処理を行って、ある程度水質が良好となった水について有機物濃度を測定するため、このようなセンサの汚染による測定誤差、制御不良を防止することができる。
【００３３】
本発明において、制御する凝集処理条件としては、原水への凝集剤添加量が挙げられる（請求項２，９）。また、制御する洗浄条件としては、洗浄間隔（洗浄頻度）が挙げられる（請求項３，１０）。また、洗浄流体が洗浄薬液である場合にあっては、洗浄条件として洗浄薬液の濃度、即ち、洗浄薬液中の薬品濃度を制御しても良い（請求項４，１１）。また、制御する洗浄条件としては、洗浄流体の供給速度であっても良い（請求項５，１２）。
【００３４】
分離膜の洗浄は、膜分離手段の二次側から洗浄流体を供給し、分離膜を透過した洗浄流体を一次側から排出するものが好ましい（請求項６，１３）。
【００３５】
なお、凝集処理された水の有機物濃度は、波長２００〜４００ｎｍの範囲内の紫外光の吸光度と波長４００〜８００ｎｍの範囲内の可視光の吸光度との差から容易に測定することができる（請求項７，１４）。即ち、波長２００〜４００ｎｍの範囲内の紫外光の吸光度は有機物の吸光度と主として無機粘土鉱物よりなる濁度成分の吸光度との合計値である。また、波長４００〜８００ｎｍの範囲内の可視光の吸光度は主として無機粘土鉱物よりなる濁度成分による吸光度である。従って、両吸光度の差から凝集処理された水の有機物濃度を求めることができる。有機物濃度はＴＯＣ計やＣＯＤ計によっても測定することはできるが、上述のように紫外光および可視光の吸光度差であれば、簡便かつ迅速に有機物濃度を求めることができ、好適である。
【発明を実施するための最良の形態】
【００３６】
以下に本発明の水処理装置及び水処理方法の実施の形態を詳細に説明する。なお、以下においては、凝集処理水の有機物濃度に基いて制御する場合を例示するが、本発明において、「凝集処理された水」は凝集処理水に限定されず、凝集処理工程以降の水であれば良く、膜透過水や膜濃縮水であっても良い。
【００３７】
本発明が処理対象とする原水は、有機物を含むものであり、河川水、地下水などの天然水の他、各種工場排水や農業排水、下水などが例示される。この原水に含まれる有機物は、特に限定されるものではない。なお、天然水中にはフミン酸が含まれることが多いが、当然ながらこのフミン酸も本発明の有機物の一種に当る。
【００３８】
本発明においては、原水を凝集処理した後、膜分離して処理水を得るに当たり、凝集処理水の有機物濃度を測定し、この測定値に基いて凝集処理条件と分離膜の洗浄条件を制御する。
【００３９】
凝集処理水の有機物濃度を、凝集処理水の紫外光の吸光度と可視光の吸光度との差から求める場合、紫外光吸光度は、波長２００〜４００ｎｍ、特に２３０〜３００ｎｍ、例えば２６０ｎｍの吸光度とされ、可視光吸光度は、波長４００〜８００ｎｍ、特に６００〜７００ｎｍ、例えば６６０ｎｍの吸光度とされる。吸光度の測定は、連続的に行っても良く、１〜１０分間に１回の間欠的な測定であっても良い。また、３０秒〜１日の吸光度測定値の平均値を求め、この値を制御の指標値としても良い。
【００４０】
原水の凝集処理で原水に添加する凝集剤としては、ポリ塩化アルミニウム（ＰＡＣ）等のアルミニウム塩や、塩化第二鉄等の鉄塩等の無機凝集剤を用いることができ、これらは１種を単独で用いても良く、２種以上を併用しても良い。
【００４１】
なお、一般的に凝集処理は、ｐＨ７．５〜８．０程度で行われるが、凝集剤として特にアルミニウム塩を用いる場合、ｐＨを５．０〜７．０、特に５．５〜６．５に低下させると、ＫＭＦ値（０．４５μｍメンブレンフィルターを用いて一定量の試料水を濾過するのに要する時間）を良好にできることができる。これは、ｐＨを５．０〜７．０、特に５．５〜６．５に下げることにより、アルミニウムの電荷が高くなり、凝結作用が上がるためと考えられる。ただし、ｐＨ５．０未満に低下させると残留アルミニウム濃度が増加してしまう。そこでｐＨ５．０以上好ましくは５．５以上に調整することで残留アルミニウム濃度の増加を抑制する。残留アルミニウム濃度が高くなる原因として、ｐＨを下げすぎると、Ａｌは、電荷は高くなるが、水酸化物をあまり持たないイオンのような極小のサイズになるため、中和が終了しても、架橋が進まず膜を通過してしまう大きさにしか成長できないためと考えられる。
【００４２】
このような凝集処理において、凝集処理水の有機物濃度の測定値に基いて制御する凝集処理条件の制御項目としては、
(1)  凝集剤の添加量
(2)  （撹拌機を備える凝集処理装置の場合）撹拌機の撹拌速度
などがあり、上記(1)，(2)の一方のみを制御しても良く、両方を制御しても良い。好ましくは、凝集剤添加量を制御することが望ましい。
【００４３】
また、凝集処理水の有機物濃度だけでなく、さらに凝集処理水の凝集状態を検出し、有機物濃度の測定値とこの凝集状態の検出値とに基いて凝集剤の添加量や撹拌機の撹拌速度等の凝集処理条件を制御しても良く、これにより、極めて良好な凝集処理を行うことができる。この場合、凝集状態検出センサとしては、凝集槽内液の凝集粒子間の清澄度を検出する光遮断式微粒子センサ又は光散乱式微粒子センサ等を用いることができる。
【００４４】
本発明において、凝集処理水は次いで膜分離に供されるが、凝集処理水は、沈殿槽、加圧浮上槽や、砂、その他の充填材を用いた濾過装置等で、含有される固形物を除去した後、膜分離に供しても良い。
【００４５】
凝集処理水を膜分離する分離膜としては、ＭＦ膜、ＵＦ膜、ＮＦ膜などが例示される。膜分離装置は、クロスフロー方式のものであっても全量濾過方式のものであってもよい。
【００４６】
凝集処理水を膜分離する分離膜の洗浄方式としては、
(1)  通常の逆洗（薬品を添加しない洗浄水（処理水（膜透過水）や市水、工水等）を膜の二次側から供給し、分離膜を透過させて一次側から排出させるもの）
(2)  薬液による逆洗（洗浄薬液を膜の二次側から供給し、分離膜を透過させて一次側から排出させるもの）
(3)  通常の薬品洗浄（洗浄薬液を膜の一次側に循環させるもの）
(4)  フラッシング洗浄（膜の一次側及び／又は二次側に気体をフラッシングするもの）
などが挙げられ、これらの２以上を併用しても良い。
【００４７】
このうち、特に(2)の薬液による逆洗の場合、当規定濃度近傍の酸とアルカリを交互に逆洗水に添加する方式が好適に用いられる。この場合、酸及びアルカリの一方の洗浄薬液で逆洗した後、一定時間静置し、その後、洗浄薬品を添加しない水（処理水や市水、工水等）で逆洗し、次いで、酸及びアルカリの他方の洗浄薬液で逆洗した後一定時間静置し、最後に薬液を添加しない水（処理水や市水、工水等）で逆洗するようにしても良い。また、後述の実施例に示すように、通常逆洗と薬液逆洗とを交互に行うようにすることもできる。
【００４８】
洗浄薬液のアルカリとしては、次亜塩素酸ナトリウムや水酸化ナトリウムが好適であり、酸としては、硫酸、塩酸、硝酸、クエン酸、シュウ酸、アスコルビン酸、重亜硫酸ナトリウム等が例示されるが、これらに限定されない。アルカリ、酸は、１種を単独で用いても良く、２種以上を併用しても良い。
【００４９】
なお、酸とアルカリを併用する場合、各濃度はほぼ同一の規定（Ｎ）であることが好ましい。通常、酸、アルカリの濃度は１×１０−３〜０．５Ｎ程度が好ましい。
【００５０】
このような分離膜の洗浄処理において、制御する洗浄条件の制御項目としては、
(1)  洗浄頻度（洗浄時間、洗浄回数、洗浄間隔等）
(2)  洗浄流体の供給速度
(3)  洗浄薬液の薬品濃度
等が挙げられ、これらの２以上を制御しても良い。
【００５１】
より具体的な洗浄条件の制御方法のうち、洗浄頻度（洗浄間隔）の制御方法は次の通りである。
【００５２】
（１）通常の逆洗の場合
薬品を添加しない単なる水逆洗は、通常、３０秒から６時間、好ましくは５分〜３時間、特に好ましくは１０分〜３時間に１回の割合で実施される。この洗浄間隔を、凝集処理水の有機物濃度の変動によって制御する。具体的には、制御の基準となる有機物濃度の閾値を１〜１０個程度設定し、それぞれに対して水逆洗の洗浄間隔を設定するのが好ましい。
【００５３】
（２）薬液による逆洗
薬液逆洗は、上記の通常の逆洗と併用して行うことが好ましい。この場合、通常の逆洗は上述の洗浄間隔で実施し、更に０．５〜１０日に１回程度の頻度で薬液逆洗を実施する。この薬液逆洗の洗浄間隔を凝集処理水の有機物濃度の変動によって制御する。具体的には、制御の基準となる有機物濃度の閾値を１〜３個設定し、それぞれに対して洗浄間隔を設定する。
【００５４】
なお、凝集処理水の有機物濃度に基いて、薬液逆洗の洗浄間隔を制御するとともに上記通常の逆洗の洗浄間隔も制御してもよいが、通常の水逆洗は一定の洗浄間隔とし、薬液逆洗の洗浄間隔を凝集処理水の有機物濃度に基いて制御することが好ましい。これは、薬液逆洗のほうが有機物汚染に対して有効に作用するためである。
【００５５】
また、凝集処理水の有機物濃度を積算してゆき、この積算値が所定値以上になった際に薬液逆洗を実施するようにしてもよい。
【００５６】
なお、薬液として次亜塩素酸ナトリウムを用いた場合には、上述した「通常の逆洗」と同じように用いられる場合がある。すなわち、次亜塩素酸ナトリウムを薬液として用いた場合には、その洗浄間隔は３０秒から６時間、好ましくは５分〜３時間、特に好ましくは１０分〜３時間に１回の割合で実施されたり、或いは他の薬液又は高濃度の次亜塩素酸ナトリウムを用いた薬液逆洗と併用されたりする場合がある。
【００５７】
（３）通常の薬品洗浄
薬品洗浄は基本的には、膜差圧が設定値以上になった時点、或いは、換算膜透過流束（温度、圧力を所定値に設定した場合の膜透過流束）が設定値以下になった時点で実施されるが、本発明では、例えば上述の凝集処理水の有機物濃度の積算値が所定値以上になった場合に薬品洗浄を実施するようにしても良い。
【００５８】
（４）フラッシング洗浄
フラッシング洗浄についても上述の通常の逆洗の場合と同様に洗浄間隔を制御すれば良い。
【００５９】
また、（２）薬液逆洗や（３）薬品洗浄において、凝集処理水の有機物濃度に応じて、薬品濃度を制御することもできる。この場合、凝集処理水の有機物濃度に比例して薬品濃度を高くしても良く、また、洗浄間隔の制御の場合のように閾値制御としても良い。
【００６０】
また、上述した４種類の洗浄において、洗浄流体を供給して分離膜を洗浄する際に、凝集処理された水の有機物濃度に基づいて供給する洗浄流体の供給速度を制御しても良い。この方法は、特に、二次側から洗浄流体を供給するとともに分離膜を透過した洗浄流体を一次側から排出する洗浄手法の場合に有用である。
【００６１】
この場合においても、凝集処理水の有機物濃度に比例して洗浄流体の供給速度を上げても良く、閾値制御であっても良い。
【００６２】
本発明において、凝集処理水中の有機物濃度が高くなる程、洗浄条件を高い条件に、即ち、例えば、洗浄頻度を高く、洗浄時間を長く、洗浄薬液の薬品濃度を高く、洗浄流体の供給速度を高くなるように制御するが、この場合、凝集処理水の有機物濃度と洗浄条件、例えば、薬液濃度や洗浄頻度とを直線的に比例させてもよく、有機物濃度が高くなるのに従って、洗浄条件、例えば薬液濃度や洗浄頻度を段階的に増加させてもよい。例えば、被処理水中の有機物濃度と、濾過性能を十分に回復させる必要最小限の洗浄条件との関係を予め実験により求めておき、この関係を数式化したり、そのままコンピュータのメモリに格納しておき、これに基づいて洗浄条件を決定してもよい。
【００６３】
なお、図２は本発明者が膜供給水中のフミン酸濃度と、膜差圧を十分に回復させるのに必要な洗浄条件（例えば洗浄頻度）との関係について研究して得た結果を模式的に示すグラフである。
【００６４】
図２の透過流束Ｊｃは、膜供給水の有機物濃度が同じ濃度の場合に、それ以上の膜透過流束に設定した時に、膜差圧ΔＰの増加速度が急激に増大し、膜分離の運転が不可能になる限界値を示す。
【００６５】
ｆ１，ｆ２，ｆ３は例えば薬液洗浄の頻度であり、ｆ１＜ｆ２＜ｆ３である。透過流束がＡ［ｍ／ｄ］にまで回復してこの透過流束にて濾過運転を行うように膜洗浄を制御する場合、フミン酸濃度が０．８ａ以下では薬液洗浄の頻度をｆ１とし、０．８ａ〜０．８ｂでは薬液洗浄の頻度をｆ２とし、０．８ｂ〜０．８ｃでは薬液洗浄の頻度をｆ３とする。０．８を安全係数として掛けるのは、フミン酸濃度Ｃ０がａであるときに薬液洗浄の頻度をｆ１とすると、透過流束が限界膜透過流束となり、急激に差圧が上昇するおそれがあるからである。
【００６６】
図示はしないが、膜供給水中の有機物濃度と、薬液濃度、洗浄流体の供給速度、洗浄時間等の洗浄条件との間にも図２に示す関係があることが認められた。
【００６７】
このように膜分離装置に供給される凝集処理水中の有機物濃度が高くなるほど洗浄薬液の濃度や洗浄頻度等の洗浄条件を高くすることにより、有機物濃度が高い場合でも分離膜の膜性能を確実かつ十分に回復させることができる。また、膜分離装置に供給される凝集処理水中の有機物濃度が低い場合には、それに応じて薬液濃度を低くしたり薬液洗浄頻度を低下させたり、洗浄流体の供給速度を小さくするため、洗浄薬液等の洗浄流体の消費量が少なく、洗浄薬液等の洗浄流体を節約することができると共に、膜の劣化を防止できる。なお、薬液洗浄後のリンス用水や洗浄流体として膜透過水を用いるときには、薬液洗浄頻度や洗浄流体の供給速度の低減により水回収率を高くすることができる。
【００６８】
なお、凝集処理水中の有機物濃度が高くなることに応じて薬液洗浄の頻度を高くする場合、薬液の濃度を低下させても十分な薬液洗浄効果が得られることが認められた。
【００６９】
以下に図面を参照して本発明の水処理装置及び水処理方法の実施の形態をより詳細に説明する。
【００７０】
図１は、本発明の水処理装置の実施の形態を示す系統図である。
【００７１】
図１において、Ｉは凝集処理部であり、IIは膜分離部である。
【００７２】
１は原水槽である。２は凝集撹拌槽であり、吸光度測定器２１と、撹拌機２２とｐＨセンサ２３と凝集状態検出センサ２４を備える。１１は凝集剤貯槽であり、貯槽１１内の凝集剤は、凝集剤薬注ポンプ３３Ｐより配管３３を経て凝集撹拌槽２に供給される。１２，１３は各々酸貯槽、アルカリ貯槽であり、貯槽１２内の酸は、酸薬注ポンプ３４Ｐにより配管３４，３６を経て凝集撹拌槽２に供給される。また、貯槽１３内のアルカリは、アルカリ薬注ポンプ３５Ｐにより配管３５，３６を経て凝集撹拌槽２に供給される。６は凝集処理条件制御装置であり、吸光度測定器２１の検出値とｐＨセンサ２３の検出値と凝集状態検出センサ２４の検出値が入力され、凝集剤薬注ポンプ３３Ｐ、酸薬注ポンプ３４Ｐ及びアルカリ薬注ポンプ３５Ｐの回転数制御信号が出力される。また、この制御装置６に入力された吸光度測定器２１の検出値は、後述の薬液逆洗条件制御装置７に出力される。
【００７３】
凝集処理部Ｉにおいて、配管３１より原水槽１に導入された原水は、配管３２より凝集撹拌槽２に導入される。
【００７４】
凝集撹拌槽２において、原水は、凝集剤貯槽１１の凝集剤が薬注ポンプ３３Ｐにより添加されると共に、酸、アルカリの添加によりｐＨ調整され、撹拌機２２により撹拌されて凝集処理される。この凝集撹拌槽２では、吸光度測定器２１により、凝集処理水中の有機物濃度が検出され、検出結果が制御装置６に入力される。この吸光度測定器２１としては、前述の如く、波長２００〜４００ｎｍの紫外光の吸光度計と、波長４００〜８００ｎｍの可視光の吸光度計を備えたものが好適である。吸光度測定器２１は、浸漬型のものであってもバッヂ型のものであってもよい。また凝集撹拌槽２内のｐＨがｐＨセンサ２３により検出され、検出結果が制御装置６に入力される。また、凝集状態検出センサ２４の検出値も制御装置６に入力される。
【００７５】
凝集撹拌槽２への凝集剤添加量は、吸光度測定器２１の検出値に基いて制御される。即ち、例えば、制御装置６において、入力された吸光度測定器２１の検出値を予め設定した凝集剤添加量の決定式に代入し、その算出結果に基いて薬注ポンプ３３Ｐの回転数が制御され、適正量の凝集剤が添加される。この薬注ポンプ３３Ｐとしては、市販の可変式定量ポンプ等が用いられる。
【００７６】
凝集処理水の有機物濃度に基いて凝集剤添加量を制御するには、例えば
（１）凝集処理水の有機物濃度が最小となるよう凝集剤添加量を調整する。
（２）凝集処理水の有機物濃度の目標値を設定し、その目標値となるようにフィードバック制御する。
といった方法を採用することができる。ただし、凝集剤添加量を増やしても有機物濃度が目標値にならない場合もあるので、凝集剤添加量の上限を設定しておくことが好ましい。
【００７７】
酸、アルカリの薬注ポンプ３４Ｐ，３５Ｐは、凝集撹拌槽２内のｐＨが５．０〜７．０好ましくは５．０〜６．５となるように制御装置６によって制御される。なお、残留アルミニウム濃度を低減する場合は、前述の如く、ｐＨを５．５〜７．０特に６．０〜７．０とりわけ６．０〜６．５となるように制御するのが好ましい。
【００７８】
なお、凝集状態検出センサ２４は、凝集剤添加量を補正したり、凝集不良が発生した際に警報信号を発信するために用いることができる。また、凝集状態検出センサ２４の検出値に基いて撹拌機２２の撹拌速度を制御するようにしても良い。薬注ポンプ３３Ｐによる凝集撹拌槽２への凝集剤添加量を、吸光度測定器２１の検出値と凝集状態検出センサ２４の検出値とに基いて制御するには、例えば、制御装置６において、入力された吸光度測定器２１の検出値を予め設定した凝集剤添加量の決定式に代入し、その算出結果に基いて薬注ポンプ３３Ｐの回転数を制御すると共に、凝集状態検出センサ２４の検出値に基づいて薬注ポンプ３３Ｐの回転数を補正する。
【００７９】
この凝集状態検出センサ２４としては、凝集撹拌槽２の液体を別の沈殿槽に移設して、一定時間沈降させた上澄みの濁度を検出する装置とセンサや、凝結ないし凝集した粒子のゼータ電位や流動電位を検出する装置とセンサ等も用いることもできるが、凝集撹拌槽２内にて凝結ないし凝集した粒子間の精澄度を検出する光遮断式微粒子センサや光散乱式微粒子センサが好適に用いられる。
【００８０】
このようにして凝集撹拌槽２内で凝集剤が添加されて撹拌されることにより凝集処理された凝集処理水は、膜分離部IIに送給される。
【００８１】
この膜分離部IIにおいて、３は膜給水槽、４は膜モジュール、５は処理水槽、７は薬液逆洗条件制御装置、１４はアルカリ貯槽、１５は酸貯槽である。膜給水槽３内の凝集処理水を膜モジュール４に供給する配管３８は給水ポンプ３８Ｐとバブル３８Ｖを備える。膜モジュール４の膜透過水を処理水槽５に送給する配管３９にはバブル３９Ｖが設けられ、また、この配管３９には、アルカリ貯槽１４内のアルカリがアルカリ薬注ポンプ４３Ｐより配管４３を経て供給され、酸貯槽１５内の酸が、酸薬注ポンプ４４Ｐにより配管４４を経て供給され、また、処理水槽５内の処理水が逆洗ポンプ４２Ｐにより配管４２を経て供給されるように配置されている。
【００８２】
４１は逆洗排水の排出配管であり、４０は処理水（膜透過水）の排出配管である。各配管３９，４１，４２，４３，４４には各々バルブ３９Ｖ，４１Ｖ，４２Ｖ，４３Ｖ，４４Ｖが設けられ、制御装置７からの制御信号が各ポンプ３８Ｐ，４２Ｐ，４３Ｐ，４４Ｐ、及び各バルブ３８Ｖ，３９Ｖ，４１Ｖ，４２Ｖ，４３Ｖ，４４Ｖに出力される。
【００８３】
膜給水槽３内の凝集処理水は、給水ポンプ３８Ｐと、バルブ３８Ｖを介して膜モジュール４の１次側４ａへ送られる。この実施の形態では、膜モジュール４は全量濾過方式であるが、クロスフロー方式でもよい。膜を透過して２次側４ｂに入った膜透過水は、配管３９より処理水槽５に導入され、配管４０より系外へ排出される。前記膜モジュール４の１次側４ａには逆洗排水取出用の配管４１が接続されている。
【００８４】
膜モジュール４を水で逆洗したり薬液逆洗後にリンスするために、処理水槽５内の水が配管４２を介して、バルブ３９Ｖよりも上流側の配管３９へ供給可能とされている。また、膜モジュール４を薬液洗浄するために、バルブ３９Ｖよりも上流側の配管３９へ、酸貯槽１５内の酸溶液が配管４４を介して供給可能とされ、また、アルカリ貯槽１４内のアルカリ溶液が配管４３を介して供給可能とされている。
【００８５】
膜モジュール４を水で逆洗したり、薬液逆洗後にリンスするときには、ポンプ３８Ｐを停止し、バルブ３８Ｖ，３９Ｖ，４３Ｖ，４４Ｖを閉、バルブ４２Ｖ，４１Ｖを開とし、ポンプ４２Ｐを作動させる。これにより、処理水槽５内の処理水が配管４２，３９を介して膜モジュール４の２次側４ｂに供給され、膜を逆方向に１次側４ａへ透過し、配管４１から逆洗排水として排出される。
【００８６】
アルカリ又は酸で膜モジュール４を薬液逆洗するときには、ポンプ３８Ｐを停止し、バルブ３８Ｖ，３９Ｖを閉とし、バルブ４３Ｖ又は４４Ｖを開とすると共にバルブ４１Ｖを開とし、ポンプ４３Ｐ又は４４Ｐを作動させ、バルブ４２Ｖを開としてポンプ４２Ｐを作動させ、所定量の水を処理水槽５から配管３９へ送り、アルカリ又は酸を希釈しつつ膜モジュール４へ送る。
【００８７】
なお、膜モジュール４に供給するアルカリ又は酸の濃度を変化させるときには、ポンプ４３Ｐ又は４４Ｐをインバーター又はパルス制御することにより、アルカリ又は酸の注入量を変化させる。
【００８８】
前述の凝集撹拌槽２内の吸光度測定器２１の検出値が制御装置６を介して制御装置７に入力されている。この制御装置７は、吸光度測定器２１の検出値に応じ、薬液逆洗の頻度及び／又は膜モジュール４へ供給する薬液濃度（槽１４又は１５からのアルカリ又は酸の注入量）を制御する。
【００８９】
なお、水逆洗又は薬液逆洗の際の逆洗流体の供給速度を制御しても良く、その場合には所定の供給速度となるように各ポンプ４２Ｐ，４３Ｐ，４４Ｐの回転速度を制御装置７によって制御する。
【００９０】
膜モジュールの洗浄条件の制御は、凝集処理水の有機物濃度が前述の目標値に到達しない場合に、洗浄流体の供給速度や洗浄頻度、洗浄薬液濃度を可変するようにして行っても良い。このようにすることで、膜濾過抵抗の増大に適切に又は事前に対応することができ、濾過抵抗の増大を抑制することができる。
【００９１】
なお、図１は本発明の実施の形態の一例を示すものであって、本発明はその要旨を超えない限り、図１の態様に何ら限定されるものではない。
【００９２】
例えば、凝集撹拌槽は急速撹拌槽と、この急速撹拌槽からのの流出水が導入される緩速撹拌槽との２槽構成であっても良く、この場合において、前段の急速撹拌槽に無機凝集剤を添加して後段の緩速撹拌槽に有機高分子凝集剤を添加しても良い。また、前述の如く、凝集処理水は、沈殿槽、加圧浮上槽や、砂、その他の充填材を用いた濾過装置等で、含有される固形物を除去した後、膜分離に供しても良く、この場合には、図１の凝集撹拌槽２の後段に沈殿槽や濾過装置が設けられる。
【００９３】
本発明においては、凝集処理された水の有機物濃度に基いて、凝集処理条件と分離膜の洗浄条件を制御するが、この凝集処理された水は必ずしも凝集処理水である必要はなく、凝集処理工程以降の水であれば良い。従って、吸光度測定器等の有機物濃度の検出器は、図１に示す如く、凝集撹拌槽に設ける他、膜給水槽３や膜透過水が導入される処理水槽５に設けても良い。また、凝集撹拌槽の後段に沈殿槽を設ける場合にはこの沈殿槽に吸光度測定器等の有機物濃度の検出器を設けても良い。ただし、図１に示す如く、凝集撹拌槽に吸光度測定器等の有機物濃度の検出器を設けた場合には、凝集剤添加量の注入量制御へのタイムラグを小さくすることができ、好ましい。
【００９４】
このようにして、凝集処理された水の有機物濃度に基いて凝集処理条件と分離膜の洗浄条件を制御することにより、次のような効果を得ることができる。
・凝集剤添加量を最適に制御できるため、凝集剤由来の溶存アルミニウムや溶存有機物濃度の低い処理水、膜給水を得ることができる。
・その結果、膜のファウリングを抑制することができる。また、適切に膜濾過抵抗の増大を防止できるため、膜濾過流束を高く設定することができる。
・波長２６０ｎｍ近傍の紫外光吸光度（Ｅ２６０）で代表される値は、原水に含まれるフミン等の天然有機物であるが、その産地や熟成の度合いにより凝集処理で除去できる濃度に限界がある。このような場合には、凝集剤の最大添加量を予め設定することにより、目標設定値に到達しなくても凝集剤添加量を抑制する制御を組み込むことができる。
・目標設定値に到達しない場合は、膜の逆洗速度や逆洗時の薬品添加濃度を可変する制御を組み込むことにより、膜性能を高く維持することができる。
【実施例】
【００９５】
以下に参考例、実施例及び比較例を挙げて本発明をより具体的に説明する。
【００９６】
なお、以下の参考例、実施例及び比較例では、いずれも有機物汚染の進んだＡ河川を水源として、原水槽、凝集撹拌槽、沈殿槽、砂濾過槽、並びにＵＦ膜モジュールから構成される実験装置を用い、本発明に従って、原水を原水槽→凝集撹拌槽→沈殿槽→砂濾過槽→膜モジュールの順で通水して処理を行った。
【００９７】
砂濾過槽には有効径０．４５ｍｍの濾過砂を６００ｍｍ積層したカラムを用いた。凝集撹拌槽は、有効容量３０Ｌのパドル式撹拌機（２００ｒ．ｐ．ｍ．，４０Ｗ）付きの角型急速撹拌槽である。膜モジュールとしては、クラレ社製の内圧中空糸限外濾過膜（親水化ポリスルフォン、分画分子量１３，０００、内径１．１５ｍｍ）の小型ラボモジュール（膜面積：０．１４ｍ２）を用いた。原水は６００Ｌ／ｈで処理し、凝集撹拌槽には凝集剤としてポリ塩化アルミニウム（ＰＡＣ）を添加し、また、膜モジュールにおける膜透過流束は４ｍ／ｄとし、通水５９分毎に、透過水を４ｍ／ｄの流束で二次側から一次側に通水する逆洗を１分間行う運転を行った。
【００９８】
凝集撹拌槽には吸光度測定器として、波長２００ｎｍ〜７００ｎｍ近傍の紫外〜可視光領域を走査できるＳ::ＣＡＮセンサ（S::CAN  MESSTECHNIK  GMBH（オーストリア）製、セル幅５０ｍｍ）を浸漬し、紫外光の吸光度は波長２６０ｎｍで測定し、可視光の吸光度は波長６６０ｎｍで測定した。また、原水についても同様に波長２６０ｎｍの紫外光の吸光度（Ｅ２６０）と波長６６０ｎｍの可視光の吸光度（Ｅ６６０）との吸光度差（Ｅ２６０−Ｅ６６０）を測定した。
【００９９】
参考例、実施例及び比較例のいずれの場合も、９月に入り、晴天、降雨で水質変動が生じた時期（原水の吸光度差（Ｅ２６０−Ｅ６６０）が０．０８から０．１０に変動した時期）に、参考例、実施例、比較例の順でそれぞれ１週間の通水を行い、各例の通水終了後に膜モジュールを新品に取り替えて、次の通水を行った。
【０１００】
参考例、実施例及び比較例の通水期間と、原水の吸光度差（Ｅ２６０−Ｅ６６０）及び濁度、沈殿槽の固液分離水の濁度、膜透過水の濁度、消費量から求めたＰＡＣ添加濃度（平均値）、膜モジュールの膜差圧の上昇速度を表１に示した。なお、吸光度、濁度、吸光度差は、通水期間中の平均値で示した。
【０１０１】
参考例１
上記構成において、凝集撹拌槽へのＰＡＣ添加量を、凝集撹拌槽で測定された吸光度差（Ｅ２６０−Ｅ６６０）が０．０５ａｂｓとなるように比例制御した。
【０１０２】
実施例１
上記構成において、凝集撹拌槽へのＰＡＣ添加量を、凝集撹拌槽で測定された吸光度差（Ｅ２６０−Ｅ６６０）が０．０５ａｂｓとなるように比例制御すると共に、吸光度差（Ｅ２６０−Ｅ６６０）が０．０５ａｂｓを超えたときに、逆洗頻度を２倍にして２９分の通水毎に１回行うように制御した。
【０１０３】
実施例２
上記構成において、凝集撹拌槽へのＰＡＣ添加量を、凝集撹拌槽で測定された吸光度差（Ｅ２６０−Ｅ６６０）が０．０５ａｂｓとなるように比例制御すると共に、吸光度差（Ｅ２６０−Ｅ６６０）が０．０５ａｂｓを超えたときに、逆洗時の透過水通水速度を２倍にして８ｍ／ｄとなるように制御した。
【０１０４】
比較例１
凝集撹拌槽へのＰＡＣ添加量は吸光度差（Ｅ２６０−Ｅ６６０）で制御せずに一定とし、この添加量はジャーテスターを用いた実験により１日１回の頻度で設定した。
【０１０５】
【表１】
2007245078.tif 000003
【０１０６】
表１より次のことが明らかである。
参考例１ではＰＡＣ添加量を吸光度差（Ｅ２６０−Ｅ６６０）により制御したことにより、沈殿槽の固液分離水の水質及び膜透過水の水質ともに、比較例１より低い値で推移した。
【０１０７】
実施例１では、更に吸光度差（Ｅ２６０−Ｅ６６０）が０．０５ａｂｓを超えたときに、逆洗間隔を２倍に設定したことにより、膜モジュールの差圧上昇速度は０．０５ｋＰａ／ｄと小さく、安定した運転ができた。同様に、実施例２では、吸光度差（Ｅ２６０−Ｅ６６０）が０．０５ａｂｓを超えたときに、逆洗水の供給速度を２倍に設定したことにより、膜モジュールの差圧上昇速度は０．０３ｋＰａ／ｄと小さく、安定した運転ができた。
【０１０８】
比較例１では毎日のジャーテストでＰＡＣ添加量を決めたが、夜間等の原水水質変動に追随できず、凝集処理水の吸光度差（Ｅ２６０−Ｅ６６０）は、実施例における閾値を上回る値となった。
【０１０９】
原水あたりのＰＡＣ添加濃度は、実施例１，２では３０ｍｇ／Ｌであったが、比較例１では３４ｍｇ／Ｌと過剰になる場合があった。
【０１１０】
膜モジュールの差圧上昇速度は実施例１，２で０．０５ｋＰａ／ｄ、０．０３ｋＰａ／ｄと極めて小さく、膜透過性能は安定であった。一方、比較例１の膜モジュールの差圧上昇速度は０．６５ｋＰａ／ｄと高く、実施例１，２と比べて、薬品洗浄頻度を多くするか、或いは、定期的に薬品洗浄する場合には、薬品濃度を高く設定する必要があると結論付けられた。
【０１１１】
また、参考例１においても膜モジュールの差圧上昇速度は実施例１，２よりも高く、実施例１，２に比較して、薬品洗浄頻度を多くするか、或いは、定期的に薬品洗浄する場合には、薬品濃度を高く設定する必要があると結論付けられた。
【０１１２】
これらの結果から、凝集処理された水の有機物濃度を測定し、その結果に基いて凝集条件（凝集剤の添加量）を制御すると同時に、分離膜の洗浄条件（薬液逆洗の頻度、薬液の薬品濃度及び洗浄流体の供給速度）を制御することにより、高い膜透過流束で安定して運転を継続することができることが分かる。
【図面の簡単な説明】
【０１１３】
【図１】本発明の水処理装置の実施の形態を示す系統図である。
【図２】フミン酸濃度と洗浄条件（逆洗頻度）との関係を模式的に示すグラフである。
【符号の説明】
【０１１４】
Ｉ  凝集処理部
II  膜分離部
１  原水槽
２  凝集撹拌槽
３  膜給水槽
４  膜モジュール
５  処理水槽
６  凝集処理条件制御装置
７  薬液逆洗条件制御装置
１１  凝集剤貯槽
１２，１５  酸貯槽
１３，１４  アルカリ貯槽
２１  吸光度測定器
２２  撹拌機
２３  ｐＨセンサ
２４  凝集状態検出センサ
【図１】
2007245078.tif 000004
【図２】
2007245078.tif 000005